(57)【要約】      （修正有）【課題】テンプレート画像データから推測されるユーザの属性に適した差出人情報をユーザが入力可能とするプログラムを提供する。【解決手段】複数の通信面テンプレート画像データの中から１の通信面テンプレート画像データを選択するテンプレート画像選択操作受付処理と、選択された１のテンプレート画像に対応付けて記憶部に記憶されている表示モードをデフォルトの表示モードとして設定する設定処理と（Ｓ８２、Ｓ１２２）、設定処理によって設定されたデフォルトの表示モードが第１表示モードである場合は、通信物に記録されるための差出人情報であって、第１種の差出人情報を入力可能である第１表示モードで入力画面を表示部に表示させ、デフォルトの表示モードが第２表示モードである場合は、第２種の差出人情報を入力可能である第２表示モードで入力画面を表示部に表示させる表示処理と（Ｓ８５，Ｓ１２５）、をコンピュータに実行させる。【選択図】図６
2019046409.tif 000002
【特許請求の範囲】
【請求項１】
表示部と、操作部と、記憶部と、を備えた情報処理端末のコンピュータによって実行されるプログラムであって、
各々が通信物に記録されるためのテンプレート画像を示す複数のテンプレート画像データの中から１のテンプレート画像データを選択するテンプレート画像選択操作を、前記操作部を介して受け付けるテンプレート画像選択操作受付処理、を前記プログラムは前記コンピュータに実行させ、
前記複数のテンプレート画像データの各々は、第１表示モードおよび第２表示モードを含む複数の表示モードのうちのいずれかの表示モードと対応付けられて前記記憶部に記憶されており、
前記１のテンプレート画像データに対応付けて前記記憶部に記憶されている前記表示モードを前記デフォルトの表示モードとして設定する設定処理と、
前記設定処理によって設定されたデフォルトの表示モードが前記第１表示モードである場合は、前記通信物に記録されるための差出人情報であって、第１種の前記差出人情報を入力可能である前記第１表示モードで入力画面を前記表示部に表示させ、前記設定処理によって設定されたデフォルトの表示モードが前記第２表示モードである場合は、第２種の前記差出人情報を入力可能である前記第２表示モードで前記入力画面を前記表示部に表示させる表示処理と、
を前記プログラムは前記コンピュータに更に実行させることを特徴とするプログラム。
【請求項２】
前記設定処理によって設定された前記デフォルトの表示モードから、前記複数の表示モードのうちの前記デフォルトの表示モードと異なる表示モードに、前記表示モードを切り替えるモード切替操作を、前記操作部を介して受け付けるモード切替操作受付処理を前記プログラムは前記コンピュータに更に実行させ、
前記モード切替操作受付処理によって前記操作部を介して受け付けられた前記モード切替操作により切り替えられた前記表示モードで前記入力画面を前記表示部に表示させることを特徴とする請求項１記載のプログラム。
【請求項３】
前記設定処理によって設定された前記デフォルトの表示モードで前記表示処理によって前記入力画面を前記表示部に表示させた後に、前記モード切替操作受付処理において前記モード切替操作を受け付けることを特徴とする請求項２記載のプログラム。
【請求項４】
前記複数の表示モードは、前記第１種の差出人情報のうちの第１差出人情報の入力を受け付け可能である前記第１表示モードと、前記第１種の差出人情報のうちの前記第１差出人情報と異なる第２差出人情報の入力を受け付け可能である第３表示モードと、を含み、
前記複数のテンプレート画像データに含まれる第１テンプレート画像データは前記第１表示モードおよび前記第３表示モードと対応付けて前記記憶部に記憶されており、
前記第１差出人情報を前記通信物の第１面に記録するか前記第２差出人情報を前記通信物の第２面に記録するかを選択する記録面選択操作を、前記操作部を介して受け付ける記録面選択操作受付処理を、前記プログラムは前記コンピュータに更に実行させ、
前記１のテンプレート画像データが前記第１テンプレート画像データであり、且つ、前記記録面選択操作受付処理によって前記操作部を介して受け付けられた前記記録面選択操作により前記第１差出人情報を前記通信物の第１面に記録すると選択された場合、前記設定処理において前記第１表示モードをデフォルトの表示モードとして設定し、
前記１のテンプレート画像データが前記第１テンプレート画像データであり、且つ、前記記録面選択操作受付処理によって前記操作部を介して受け付けられた前記記録面選択操作により前記第２差出人情報を前記通信物の第２面に記録すると選択された場合、前記設定処理において前記第３表示モードをデフォルトの表示モードとして設定することを特徴とする請求項１乃至３のいずれかに記載のプログラム。
【請求項５】
前記複数のテンプレート画像データの各々は、第１種のカテゴリを示す第１種カテゴリ情報および第２種のカテゴリを示す第２種カテゴリ情報を含む複数のカテゴリ情報のうちのいずれかのカテゴリ情報と対応付けられて前記記憶部に記憶されており、
前記カテゴリ情報は、前記複数の表示モードのうちのいずれかの表示モードと対応付けられて前記記憶部に記憶されており、
前記設定処理において、前記１のテンプレート画像データに対応付けて記憶されたカテゴリ情報に応じた表示モードを前記デフォルトの表示モードとして設定することを特徴とする請求項１乃至４のいずれかに記載のプログラム。
【請求項６】
前記表示処理によって前記入力画面を前記表示部に表示させている際に、前記第１種の差出人情報または前記第２種の差出人情報のいずれかを受け付ける差出人情報受付処理と、
を前記プログラムは前記コンピュータに更に実行させることを特徴とする請求項１乃至５のいずれかに記載のプログラム。
【請求項７】
前記操作部はタッチパネルであり、
前記第１種の差出人情報は文字情報を含んでおり、
前記差出人情報受付処理において、前記表示処理によって前記入力画面を前記第１表示モードで前記表示部に表示させている場合、前記タッチパネルを介して指示体を用いて手書きされる文字を前記文字情報として受け付けることを特徴とする請求項６に記載のプログラム。
【請求項８】
前記情報処理端末は通信部を更に備え、
前記第２種の差出人情報は地図情報を含んでおり、
前記差出人情報受付処理において、前記表示処理によって前記入力画面を前記第２表示モードで前記表示部に表示させている場合、前記通信部を介してサーバから前記地図情報を受け付けることを特徴とする請求項６または７に記載のプログラム。
【請求項９】
前記プログラムは、
前記第２種の差出人情報はカレンダ情報を含んでおり、
前記差出人情報受付処理において、前記表示処理によって前記入力画面を前記第２表示モードで前記表示部に表示させている場合、企業の営業日が示されたカレンダ情報を、前記操作部を介して受け付けることを特徴とする請求項６乃至８のいずれかに記載のプログラム。
【請求項１０】
前記テンプレート画像は、前記通信物の第１面に記録するためのテンプレート画像であることを特徴とする請求項
【請求項１１】
前記通信物は、はがきであり、前記通信物の第１面ははがきの通信面、前記通信物の第２面は前記はがきの宛名面であることを特徴とする請求項１乃至１０のいずれかに記載のプログラム。
【請求項１２】
表示部と、操作部と、記憶部と、を備えた情報処理端末であって、
各々が通信物に記録されるためのテンプレート画像を示す複数のテンプレート画像データの中から１のテンプレート画像データを選択するテンプレート画像選択操作を、前記操作部を介して受け付けるテンプレート画像選択操作手段を備え、
前記複数のテンプレート画像データの各々は、第１表示モードおよび第２表示モードを含む複数の表示モードのうちのいずれかの表示モードと対応付けられて前記記憶部に記憶されており、
前記１のテンプレート画像データに対応付けて前記記憶部に記憶されている前記表示モードを前記デフォルトの表示モードとして設定する設定手段と、
前記設定手段によって設定されたデフォルトの表示モードが前記第１表示モードである場合は、前記通信物に記録されるための差出人情報であって、第１種の前記差出人情報を入力可能である前記第１表示モードで入力画面を前記表示部に表示させ、前記設定手段によって設定されたデフォルトの表示モードが前記第２表示モードである場合は、第２種の前記差出人情報を入力可能である前記第２表示モードで前記入力画面を前記表示部に表示させる表示手段と、
を更に備えていることを特徴とする情報処理端末。
【発明の詳細な説明】
【技術分野】
【０００１】
本発明は、通信物に記録される画像を編集するプログラムおよび情報処理端末に関する。
【背景技術】
【０００２】
従来より、通信物（例えば、はがきなど）の第１面および第２面それぞれに印刷したい情報の入力を受け付け、当該情報を通信物に記録する仕組みが知られている。特許文献１には、はがきの通信面および宛名面に印刷される画像をユーザが編集可能とするプログラムが開示されている。より詳細には、特許文献１に記載のプログラムは、ユーザが所望するテンプレート画像データの選択を受け付け、当該テンプレート画像データとともに通信物に記録する差出人情報の入力を受け付ける差出人情報入力画面を表示する。ユーザは、差出人情報入力画面に表示された入力欄のうち、必要な入力欄に差出人情報を入力し、当該差出人情報を通信物に記録していた。
【０００３】
テンプレート画像データのデザインや種類は多様であるため、選択したテンプレート画像データによって、ユーザは異なる差出人情報を入力したい場合がある。例えば、シンプルなデザインの年賀状であれば、ユーザの属性は“企業”である可能性が高く、当該ユーザは企業名を差出人情報として入力することを望む。一方で、カラフルなデザインの年賀状であれば、ユーザの属性は“個人”である可能性が高く、当該ユーザは姓名を差出人情報として入力することを望む。
【先行技術文献】
【特許文献】
【０００４】
【特許文献１】特開２０１６−０８１２９９号公報
【発明の概要】
【発明が解決しようとする課題】
【０００５】
しかしながら、特許文献１に記載の技術では、いずれのテンプレート画像データを選択した場合であっても、選択されたテンプレート画像データが考慮されずに、一様な差出人情報入力画面が表示されるため、差出人情報入力画面で、ユーザが不必要な差出人情報が受け付け可能とされている場合がある。これにより、ユーザが、通信物に記録したい差出人情報を入力し間違えたり入力し損なったりするといった問題が生じていた。
【０００６】
本発明は上記の事情に鑑みてなされたものであり、テンプレート画像データから推測されるユーザの属性に適した差出人情報をユーザが入力可能とするプログラムを提供することを目的とする。
【課題を解決するための手段】
【０００７】
本明細書に開示されているプログラムは、表示部と、操作部と、記憶部と、を備えた情報処理端末のコンピュータによって実行されるプログラムである。前記プログラムは、各々が通信物に記録されるためのテンプレート画像を示す複数のテンプレート画像データの中から１のテンプレート画像データを選択するテンプレート画像選択操作を、前記操作部を介して受け付けるテンプレート画像選択操作受付処理を、前記コンピュータに実行させ、前記複数のテンプレート画像データの各々は、第１表示モードおよび第２表示モードを含む複数の表示モードのうちのいずれかの表示モードと対応付けられて前記記憶部に記憶されており、前記１のテンプレート画像データに対応付けて前記記憶部に記憶されている前記表示モードを前記デフォルトの表示モードとして設定する設定処理と、前記設定処理によって設定されたデフォルトの表示モードが前記第１表示モードである場合は、前記通信物に記録されるための差出人情報であって、第１種の前記差出人情報を入力可能である前記第１表示モードで入力画面を前記表示部に表示させ、前記設定処理によって設定されたデフォルトの表示モードが前記第２表示モードである場合は、第２種の前記差出人情報を入力可能である前記第２表示モードで前記入力画面を前記表示部に表示させる表示処理と、を前記プログラムは前記コンピュータに更に実行させることを特徴とする。
【０００８】
上記構成によると、まず、ユーザは、通信物に記録するためのテンプレート画像データを選択する。次に、選択されたテンプレート画像データに対応付けて記憶された表示モードであって、ユーザの属性に適した差出人情報（第１種の差出人情報または第２種の差出人情報）を受け付け可能である該表示モードがデフォルトの表示モードとして設定される。そして、設定されたデフォルトの表示モードで入力画面が表示される。よって、選択されたテンプレート画像データから推測される属性を有する多数派のユーザは、自身の属性を選択する操作を要求されることなく、自身の所望する差出人情報を入力することができる。
【０００９】
また、本明細書に開示されている情報処理端末は、表示部と、操作部と、記憶部と、を備えている。前記情報処理端末は、各々が通信物に記録されるためのテンプレート画像を示す複数のテンプレート画像データの中から１のテンプレート画像データを選択するテンプレート画像選択操作を、前記操作部を介して受け付けるテンプレート画像選択操作手段を更に備え、前記複数のテンプレート画像データの各々は、第１表示モードおよび第２表示モードを含む複数の表示モードのうちのいずれかの表示モードと対応付けられて前記記憶部に記憶されており、前記１のテンプレート画像データに対応付けて前記記憶部に記憶されている前記表示モードを前記デフォルトの表示モードとして設定する設定手段と、前記設定手段によって設定されたデフォルトの表示モードが前記第１表示モードである場合は、前記通信物に記録されるための差出人情報であって、第１種の前記差出人情報を入力可能である前記第１表示モードで入力画面を前記表示部に表示させ、前記設定手段によって設定されたデフォルトの表示モードが前記第２表示モードである場合は、第２種の前記差出人情報を入力可能である前記第２表示モードで前記入力画面を前記表示部に表示させる表示手段と、を前記情報処理端末は更に備えていることを特徴とする。
【図面の簡単な説明】
【００１０】
【図１】図１は、本実施形態に係る印刷システム１００の一例を示すブロック図である。
【図２】図２は、本実施形態に係るメモリ６２に記憶される情報の一例であり、（Ａ）は通信面テンプレートリストを、（Ｂ）は宛名面テンプレートレコードを示す図である。
【図３】図３は、本実施形態に係るメモリ６２に記憶されるカテゴリ情報と複数の表示モードの関係の一例を示した図である。
【図４】図４は、通信面編集処理の一例を示すフローチャートである。
【図５】図５は、宛名面編集処理の一例を示すフローチャートである。
【図６】図６は、宛名面差出人合成処理の一例を示すフローチャートである。
【図７】図７は、通信面差出人合成処理の一例を示すフローチャートである。
【図８】図８は、サイン情報受付処理の一例を示すフローチャートである。
【図９】図９は、地図情報受付処理の一例を示すフローチャートである。
【図１０】図１０は、ロゴ情報受付処理の一例を示すフローチャートである。
【図１１】図１１は、カレンダ情報受付処理の一例を示すフローチャートである。
【図１２】図１２は、本実施形態に係る表示部５３の表示例であって、（Ａ）はテンプレートカテゴリ選択画面を、（Ｂ）はテンプレート選択画面を示す。
【図１３】図１３は、本実施形態に係る表示部５３の表示例であって、（Ａ）は通信面編集画面を、（Ｂ）は宛名面編集画面を示す。
【図１４】図１４は、本実施形態に係る表示部５３の表示例であって、（Ａ）は表示モードＭ１の差出人情報入力画面を、（Ｂ）は表示モードＭ２の差出人情報入力画面を示す。
【図１５】図１５は、本実施形態に係る表示部５３の表示例であって、（Ａ）は表示モードＭ３の差出人情報入力画面を、（Ｂ）は表示モードＭ４の差出人情報入力画面を示す。
【図１６】図１６は、本実施形態に係る表示部５３の表示例であって、（Ａ）は姓名を含む差出人情報を示す差出人画像１８０が合成された後の宛名面編集画面を、（Ｂ）は企業名を含む差出人情報を示す差出人画像１８０が合成された後の宛名面編集画面を示す。
【図１７】図１７は、本実施形態に係る表示部５３の表示例であって、（Ａ）は姓名を含む差出人情報を示す差出人画像１８０Ｃとサイン情報を示す差出人画像１８０Ｄとが合成された後の宛名面編集画面を、（Ｂ）は企業名を含む差出人情報を示す差出人画像１８０Ｅが合成された後の通信面編集画面を示す。
【図１８】図１８は、本実施形態に係る表示部５３の表示例であって、（Ａ）は企業名を含む差出人情報を示す差出人画像１８０Ｅと地図情報を示す差出人画像１８０Ｆとが合成された後の宛名面編集画面を、（Ｂ）は企業名を含む差出人情報を示す差出人画像１８０Ｅとロゴ情報を含む差出人情報を示す差出人画像１８０Ｇとが合成された後の通信面編集画面を、（Ｃ）は企業名を含む差出人情報を示す差出人画像１８０Ｅとカレンダ情報を含む差出人情報を示す差出人画像１８０Ｈとが合成された後の通信面編集画面を示す。
【図１９】図１９は、本実施形態に係る表示部５３の表示例であって、（Ａ）は地図情報入力画面を、（Ｂ）はカレンダ情報入力画面を示す。
【図２０】図２０は、変形例に係る表示部５３の表示例であって、（Ａ）は表示モードＭ３の通信面編集画面、（Ｂ）は表示モードＭ４の通信面編集画面を示す。
【図２１】図２１は、変形例に係る表示部５３の表示例であって、通信面編集画面を示す。
【発明を実施するための形態】
【００１１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。例えば、後述する各処理の実行順序は、本発明の要旨を変更しない範囲で、適宜変更することができる。
【００１２】
［印刷システム１００］
図１は、本実施形態に係る印刷システム１００の概略図である。図１に示される印刷システム１００は、ＭＦＰ（Multi Function Peripheralの略）１０と、情報処理端末５０と、アクセスポイント６０（以下、ＡＰ６０と呼ぶ）と、サーバ７０とで構成されている。また、印刷システム１００は、ＭＦＰ１０に代えて、プリンタ単能機を備えるデバイスを含んでもよい。ＡＰ６０は、既知の中継装置である。情報処理端末５０と、ＭＦＰ１０とはＡＰ６０を介するＬＡＮ（Local Area Networkの略）によって通信可能に接続されている。サーバ７０は、インターネット１０１およびＡＰ６０を介して、情報処理端末５０と通信することが可能である。なお、ＭＦＰ１０および情報処理端末５０は、例えば、インターネット、有線ＬＡＮ、無線ＬＡＮ、或いはこれらの組み合わせによって通信可能に接続されていてもよい。または、ＭＦＰ１０および情報処理端末５０は、ＵＳＢケーブル等によって接続されていてもよい。サーバ７０は、一例として、地図サービスを提供する地図サーバであり、Ｇｏｏｇｌｅ  Ｍａｐｓ  ＡＰＩ（なお、Ｇｏｏｇｌｅ  Ｍａｐｓは登録商標）を利用して、ベクトルデータからなる地図データを提供する地図サーバである。
【００１３】
［ＭＦＰ１０］
ＭＦＰ１０は、図１に示されるように、プリンタ１１と、ＦＡＸ部１３と、表示部２３と、操作部２４と、通信Ｉ／Ｆ２５と、ＣＰＵ３１と、メモリ３２とを主に備える。ＭＦＰ１０を構成する各構成要素は、相互に接続されている。
【００１４】
プリンタ１１は、画像データで示される画像をシートに印刷する印刷動作を実行する。プリンタ１１の印刷方式としては、インクジェット方式や電子写真方式などの公知の方式を採用することができる。ＦＡＸ部１３は、画像データを外部装置にＦＡＸ送信するＦＡＸ送信動作と、画像データを外部装置からＦＡＸ受信するＦＡＸ受信動作とを実行する。ＭＦＰ１０は、原稿に印刷された画像を読み取って画像データを生成するスキャナをさらに備えていてもよい。
【００１５】
表示部２３は、液晶表示部、有機ＥＬ表示部等であり、各種情報を表示する表示画面を備える。
【００１６】
操作部２４は、ユーザによる入力操作を受け付けるユーザインタフェースである。具体的には、操作部２４はボタンを有しており、押下されたボタンに対応づけられた各種の操作信号をＣＰＵ３１へ出力する。さらに、操作部２４は、表示部２３の表示面に重畳された膜状のタッチセンサを有しており、タッチセンサとして実現される。「オブジェクト」とは、例えば、表示部２３に表示された文字列、アイコン、ボタン、リンク、ラジオボタン、チェックボックス、プルダウンメニュー等である。
【００１７】
操作部２４は、ユーザがタップした表示面上の位置を示す位置情報を出力する。なお、本明細書中における「タップ」とは、入力媒体を表示面に接触させる操作全般を含む。また、入力媒体が表示面に触れていなくても、表示面との間の距離がごく僅かな位置まで入力媒体を近接させる「ホバー」或いは「フローティングタッチ」を、前述の「タップ」の概念に含めてもよい。さらに入力媒体とは、ユーザの指であってもよいし、タッチペン等であってもよい。
【００１８】
通信Ｉ／Ｆ２５は、ＡＰ６０を介して外部装置と通信可能なインタフェースである。すなわち、ＭＦＰ１０は、通信Ｉ／Ｆ２５を介して外部装置に各種情報を送信し、通信Ｉ／Ｆ２５を介して外部装置から各種情報を受信する。通信Ｉ／Ｆ２５は、例えば、Ｗｉ−Ｆｉ  Ａｌｌｉａｎｃｅによって定められたＷｉ−Ｆｉ方式に従った無線通信（以下では「Ｗｉ−Ｆｉ通信」と呼ぶ）を実行するためのＩ／Ｆである。通信Ｉ／Ｆ２５は、中継装置であるＡＰ６０を介して、情報処理端末５０の通信Ｉ／Ｆ５５と通信することができる。
【００１９】
ＣＰＵ３１は、ＭＦＰ１０の全体動作を制御するものである。ＣＰＵ３１は、操作部２４から出力される各種情報、通信Ｉ／Ｆ２５を介して外部装置から受信した各種情報等に基づいて、後述する各種プログラムをメモリ３２から取得して実行する。
【００２０】
メモリ３２は、装置プログラム３５を記憶している。装置プログラム３５は、単一のプログラムであってもよいし、複数のプログラムの集合体であってもよい。また、メモリ３２は、装置プログラム３５の実行に必要なデータ或いは情報等を記憶する。メモリ３２は、例えば、ＲＡＭ、ＲＯＭ、ＥＥＰＲＯＭ、ＨＤＤ、ＭＦＰ１０に着脱されるＵＳＢメモリ等の可搬記憶媒体、ＣＰＵ３１が備えるバッファ等、或いはそれらの組み合わせによって構成される。
【００２１】
メモリ３２は、コンピュータが読み取り可能なストレージ媒体であって、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。後述する情報処理端末５０のメモリ６２についても同様である。
【００２２】
［情報処理端末５０］
情報処理端末５０は、図１に示されるように、表示部５３と、操作部５４と、通信Ｉ／Ｆ５５と、ＣＰＵ６１と、メモリ６２とを主に備える。
【００２３】
表示部５３は、情報処置端末５０の各種機能情報を表示する。表示部５３は、ＣＰＵ６１からの指示に従って、各種の情報を不図示のディスプレイに表示する。
【００２４】
操作部５４は、情報処理端末５０の各機能を実行するためのキーであり、ユーザの操作に応じた信号をＣＰＵ１２へ送信する装置である。ユーザは、操作部５０を操作することによって所望の指示を入力することができる。操作部５０は、タッチパネルとして、表示部５３と一体に構成されていてもよい。
【００２５】
通信Ｉ／Ｆ５５は、ＡＰ６０を介して外部装置と通信可能なインタフェースである。すなわち、情報処理端末５０は、通信Ｉ／Ｆ５５を介して外部装置に各種情報を送信し、通信Ｉ／Ｆ５５を介して外部装置から各種情報を受信する。通信Ｉ／Ｆ５５は、例えば、Ｗｉ−Ｆｉ通信を実行するためのＩ／Ｆである。通信Ｉ／Ｆ５５は、中継器であるＡＰ６０を介して、ＭＦＰ１０の通信Ｉ／Ｆ２５と通信することができる。
【００２６】
ＣＰＵ６１は、情報処理端末５０の全体動作を制御するものである。ＣＰＵ６１は、操作部５４から出力される各種情報、通信Ｉ／Ｆ５５を介して外部装置から受信した各種情報等に基づいて、後述する各種プログラムをメモリ６２から取得して実行する。
【００２７】
メモリ６２は、ＯＳ６４と、端末プログラム６５とを記憶している。端末プログラム６５は、単一のプログラムであってもよいし、複数のプログラムの集合体であってもよい。また、メモリ６２は、端末プログラム６５の実行に必要なデータ或いは情報等を記憶する。メモリ６２は、例えば、ＲＡＭ、ＲＯＭ、ＥＥＰＲＯＭ、ＨＤＤ、情報処理端末５０に着脱されるＵＳＢメモリ等の可搬記憶媒体、ＣＰＵ６１が備えるバッファ等、或いはそれらの組み合わせによって構成される。
【００２８】
情報処理端末５０は、例えば、携帯電話、スマートフォン、タブレット端末、或いはＰＣ等である。より詳細には、情報処理端末５０の表示部５３は、表示画面のサイズが１２インチ以下、より好ましくは８インチ以下であるのが望ましい。メモリ６２には、図２に示される通信面テンプレートリストおよび宛名面テンプレートレコードと、差出人情報と、カレンダ画像が記憶される。
【００２９】
［通信面テンプレートリストおよび宛名面テンプレートレコード］
図２（Ａ）にメモリ６２に記憶されている通信面テンプレートリストの一例を示す。通信面テンプレートリストは、１以上の通信面テンプレートレコードを含む。通信面テンプレートレコードは、通信面テンプレート画像データと、通信面差出人領域情報と、カテゴリ情報とを含み、１つの通信面テンプレート画像データには、１つの通信面差出人領域情報および１つのカテゴリ情報が対応付けられている。
【００３０】
通信面テンプレート画像データは、はがきの通信面に印刷されるテンプレート画像を示すものである。
【００３１】
通信面差出人領域情報は、差出人画像を合成可能な通信面テンプレート画像データが示すテンプレート画像上の編集領域（図２（Ａ）に破線で示される領域）を特定する情報である。編集領域は、例えば、横１０００ピクセル×縦１５００ピクセルの通信面テンプレート画像データの左上端位置を基準として特定され、特定された編集領域に、後述する差出人情報入力画面で入力された差出人情報を示す差出人画像を合成する。なお、１つのテンプレート画像データに複数の通信面差出人領域情報が対応付けられていてもよいし、通信面差出人領域情報が対応付けられていない通信面テンプレート画像データが存在してもよい。
【００３２】
図２（Ａ）のテンプレート１の通信面差出人領域情報は、中心位置“ｃｅｎｔｅｒ”及び半径“ｒａｄｉｕｓ”で特定される円形状の編集領域を指す。他の例として、図２（Ａ）のテンプレート２およびテンプレート３の通信面差出人領域情報は、左端位置“ｌｅｆｔ”、上端位置“ｔｏｐ”、右端位置“ｒｉｇｈｔ”、及び下端位置“ｂｏｔｔｏｍ”で特定される矩形状の編集領域を指す。なお、編集領域の形状及び位置の特定方法は上記の例に限定されない。例えば、３つの頂点の位置によって三角形の編集領域を特定してもよい。
【００３３】
差出人画像は、通信面テンプレート画像データが印刷されたはがきの差出人情報を示す画像である。すなわち、差出人画像は、ユーザから入力を受け付けた差出人情報を予め定められた位置に配置した画像である。
【００３４】
差出人情報は、差出人画像により示される情報であり、後述する差出人情報入力画面で操作部５４を介して、ユーザから入力される情報である。差出人であるユーザの属性が“個人”である場合の差出人情報は、例えば、郵便番号“７６５−４３２１”と、住所“名古屋市Ａ区”と、姓名“特許  太郎”と、手書きのサイン情報と、を含む。また、差出人であるユーザの属性が“企業”である場合の差出人情報は、一例として、郵便番号“７６５−４３２０”と、住所“名古屋市Ｃ区”と、企業名“ＡＢ特許事務所”と、地図情報と、ロゴ情報と、カレンダ情報と、を含む。
【００３５】
図２（Ｂ）にメモリ６２に記憶されている宛名面テンプレートレコードの一例を示す。宛名面テンプレートレコードは、差出人領域情報と、宛先領域情報と、が対応付けられた宛名面テンプレート画像データを含む。
【００３６】
カテゴリ情報は、通信面テンプレート画像データが分類される複数のカテゴリを示す情報である。本実施形態のカテゴリ情報は、一例として、年賀状の通信面に印刷されるカテゴリ“年賀状“と、ビジネス向けのダイレクトメールの通信面に印刷されるカテゴリ”ビジネスＤＭ“の２種類のうちのいずれかのカテゴリを示す。なお、通信面テンプレート画像データのカテゴリはこれに限定されず、例えば、カテゴリ”暑中見舞い“やカテゴリ”クリスマスカード“等といったカテゴリがあってもよい。
【００３７】
宛名面テンプレート画像データは、はがきの宛名面に印刷されるテンプレート画像を示すものである。
【００３８】
宛名面差出人領域情報は、差出人画像を合成可能な宛名面テンプレート画像データが示すテンプレート画像上の領域（図２（Ｂ）に破線で示される領域）を示す情報であり、通信面差出人領域情報と同様の方法で当該領域を特定する。宛名面差出人領域情報により特定された領域に後述する差出人情報入力画面で入力された差出人情報を示す差出人画像を合成する。
【００３９】
宛先領域情報は、宛先画像を合成可能な宛名面テンプレート画像データが示すテンプレート画像上の領域（図２（Ｂ）に一点鎖線で示される領域）を示す情報であり、通信面差出人領域情報と同様の方法で当該領域を特定する。宛先領域情報により特定された領域に不図示の宛名入力画面で入力された宛先情報を示す宛先画像を合成する。
【００４０】
宛先画像は、宛名面テンプレート画像データが印刷されたはがきの宛先情報を示す画像である。すなわち、宛先画像は、宛先情報を予め定められた位置に配置した画像である。
【００４１】
［差出人情報入力画面の表示モード］
本実施形態の差出人情報入力画面は、異なる差出人情報の入力を受け付け可能である複数の表示モードで表示部５３に表示される。図３に示すように、複数のカテゴリ情報の各々は、差出人情報が合成されるテンプレート画像の記録面（通信面または宛名面）に応じた表示モードと対応付けて記憶されている。本実施形態は一例として４つの表示モードを有している。
【００４２】
表示モードＭ１は、差出人であるユーザの属性が“個人”である場合にユーザが入力したい差出人情報の入力を受け付けることができる表示モードであり、例えば、郵便番号、住所、および姓名を含む差出人情報の入力を受け付け可能である表示モードである。
【００４３】
表示モードＭ２は、差出人であるユーザの属性が“企業”である場合にユーザが入力したい差出人情報の入力を受け付けることができる表示モードであり、例えば、郵便番号、住所、および企業名を含む差出人情報の入力を受け付け可能である表示モードである。
【００４４】
表示モードＭ３は、差出人であるユーザの属性が“個人”である場合にユーザが入力したい差出人情報の入力を受け付けることができる表示モードであり、表示モードＭ１で受け付け可能である差出人情報に加えて、例えば、サイン情報の入力を受け付け可能である表示モードである。
【００４５】
表示モードＭ４は、差出人であるユーザの属性が“企業”である場合にユーザが入力したい差出人情報の入力を受け付けることができる表示モードであり、表示モードＭ２で受け付け可能である差出人情報に加えて、例えば、地図情報、ロゴ情報およびカレンダ情報の入力を受け付け可能である表示モードである。
【００４６】
カテゴリ“年賀状”を示すカテゴリ情報が対応付けられて記憶された通信面テンプレート画像データを選択したユーザの属性は“個人”であると推測される。従って、姓名を差出人情報として入力したい可能性が高い。更に、差出人情報を合成するテンプレート画像データの記録面が通信面である場合は、姓名に加えて、サイン情報などの差出人情報を合成したい可能性がある。
【００４７】
そこで、本実施形態では、ユーザが選択した通信面テンプレート画像データに対応付けて記憶されているカテゴリ情報がカテゴリ“年賀状”である場合、差出人情報を合成するテンプレート画像データの記録面が宛名面であれば、表示モードＭ１がデフォルトの表示モードとして設定され、差出人情報を合成するテンプレート画像データの記録面が通信面であれば、表示モードＭ３がデフォルトの表示モードとして設定される。
【００４８】
一方で、カテゴリ“ビジネスＤＭ”の通信面テンプレート画像データを選択したユーザの属性は“企業”であると推測される。従って、企業名を差出人情報として入力したい可能性が高い。更に、差出人情報を合成するテンプレート画像データの記録面が通信面である場合は、企業名に加えて、地図情報、ロゴ情報、カレンダ情報などの差出人情報を合成したい可能性がある。
【００４９】
そこで、本実施形態では、ユーザが選択した通信面テンプレート画像データに対応付けて記憶されているカテゴリ情報がカテゴリ“ビジネスＤＭ”である場合、差出人情報を合成するテンプレート画像データの記録面が宛名面であれば、表示モードＭ２がデフォルトの表示モードとして設定され、差出人情報を合成するテンプレート画像データの記録面が通信面であれば、表示モードＭ４がデフォルトの表示モードとして設定される。
【００５０】
［本明細書における記載上の注意点］
以降、「情報処理端末５０のＣＰＵ６１が」という記載、または「情報処理端末５０が」という記載は、「情報処理端末５０においてＯＳ６４や端末プログラム６５などのプログラムを実行するＣＰＵ６１は」を意味する場合もある。「ＣＰＵ６１は」という記載は、「情報処理端末５０において端末プログラム６５を実行するＣＰＵ６１は」を意味する場合もある。
【００５１】
また、「アイコンやボタンなどを選択するユーザ操作を、操作部５４を介して受け付けた」という記載は、「表示部５３に表示されたアイコンやボタンなどの位置に対するユーザ操作を、操作部５４を介して受け付けた」を意味する場合もある。
【００５２】
［印刷システム１００の動作］
図４〜図１１を参照して、本実施形態に係る印刷システム１００の動作を説明する。
【００５３】
［通信面編集処理］
まず、情報処理端末５０のＣＰＵ６１は、図１２（Ａ）に示されるテンプレートカテゴリ選択画面を表示部５３に表示させる（Ｓ１０）。テンプレートカテゴリ選択画面は、複数のカテゴリボタンを含む。複数のカテゴリボタン各々は、メモリ６２に記憶された複数のカテゴリ情報が示すカテゴリの１つに対応する。本実施形態のテンプレートカテゴリ選択画面は、一例として、カテゴリ“年賀状”を示すカテゴリ情報に対応するカテゴリボタン１３０と、カテゴリ“ビジネスＤＭ”を示すカテゴリ情報に対応するカテゴリボタン１３２とを含む。そして、ＣＰＵ６１は、テンプレートカテゴリ選択画面に対するユーザ操作を、操作部５４を介して受け付けるまで処理を待つ（Ｓ１５：Ｎｏ）。
【００５４】
次に、ＣＰＵ６１は、例えばカテゴリボタン１３０を選択するユーザ操作を、操作部５４を介して受け付けたことに応じて（Ｓ１５：Ｙｅｓ）、カテゴリボタン１３０に対応するカテゴリ“年賀状”を示すカテゴリ情報に対付けて記憶された全ての通信面テンプレートレコードを通信面テンプレートリストから読み出す。次に、ＣＰＵ６１は、図１２（Ｂ）に示されるテンプレート選択画面を表示部５３に表示させる（Ｓ２０）。テンプレート選択画面は、複数のテンプレートアイコンを含む。複数のテンプレートアイコンの各々は、通信面テンプレートリストに含まれる通信面テンプレートレコードのうちの、Ｓ１５で選択されたカテゴリボタンに対応するカテゴリ情報に対応付けて記憶された通信面テンプレートレコードの１つに対応する。本実施形態のテンプレート選択画面は、一例として、図２（Ａ）に示したテンプレート１に対応するテンプレートアイコン１３４と図２（Ａ）に示したテンプレ―ト２に対応するテンプレートアイコン１３６とを含む。そして、ＣＰＵ６１は、テンプレート選択画面に対するユーザ操作を、操作部５４を介して受け付けるまで処理を待つ（Ｓ２５：Ｎｏ）。
【００５５】
次に、ＣＰＵ６１は、例えばテンプレートアイコン１３６を選択するユーザ操作を、操作部５４を介して受け付けたことに応じて（Ｓ２５：Ｙｅｓ）、選択されたテンプレートアイコン１３６に対応付けられた通信面テンプレートレコードをテンプレートリストから読み出す。次に、ＣＰＵ６１は、図１３（Ａ）に示される通信面編集画面を表示部５３に表示させる（Ｓ３０）。
【００５６】
通信面編集画面は、通信面テンプレート画像１３８と、差出人編集領域画像１４０と、印刷ボタン１４２と、宛名面編集ボタン１４４とを含む。そして、ＣＰＵ６１は、通信面編集画面に対するユーザ操作を、操作部５４を介して受け付けるまで処理を待つ（Ｓ３５）。
【００５７】
通信面テンプレート画像１３８は、読み出した通信面テンプレートレコードに含まれる通信面テンプレート画像データで示されるテンプレート画像である。差出人編集領域画像１４０は、読み出した通信面テンプレートレコードに含まれる通信面差出人領域情報で特定される通信面差出人領域を示す画像であり、且つ、後述する通信面差出人合成処理（Ｓ４５）の実行を指示するためのボタンでもある。通信面差出人領域は、後述する通信面差出人合成処理（Ｓ４５）で生成した差出人画像１８０が合成される領域であり、差出人編集領域画像１４０は、例えば、通信面差出人領域を表す枠を破線で示す画像である。
【００５８】
次に、ＣＰＵ６１は、宛名面編集ボタン１４４を選択するユーザ操作を、操作部５４を介して受け付けたことに応じて（Ｓ３５：宛名面編集ボタン）、宛名面編集処理を実行する（Ｓ４０）。宛名面編集処理は、入力した差出人情報および宛先情報を宛名面テンプレート画像データが示す宛名面テンプレート画像１４６に合成する処理である。
【００５９】
ＣＰＵ６１は、差出人編集領域画像１４０を選択するユーザ操作を、操作部５４を介して受け付けたことに応じて（Ｓ３５：差出人編集領域画像の選択）、通信面差出人合成処理を実行する（Ｓ４５）。通信面差出人合成処理は、通信面テンプレート画像１３８上の差出人編集領域画像１４０の位置に、ユーザが入力した差出人画像１８０を合成する処理である。
【００６０】
印刷ボタン１４２は、通信面編集画像に対する印刷動作をＭＦＰ１０に実行させる指示に対応する。宛名面編集ボタン１４４は、通信面テンプレート画像１３８および宛名面テンプレート画像１４６を印刷するはがきの宛名面に印刷するデータの編集指示に対応する。
【００６１】
ＣＰＵ６１は、通信面編集画面の印刷ボタン１４２を選択するユーザ操作を、操作部５４を介して受け付けたことに応じて（Ｓ３５：印刷ボタンの選択）、通信Ｉ／Ｆ５５を通じてＭＦＰ１０に印刷指示情報を送信する（Ｓ５０）。印刷指示情報は、通信面編集画像をはがきの通信面に印刷する印刷動作をＭＦＰ１０に実行させるための情報であり、通信面編集画像を示す通信面編集画像データを含む。
【００６２】
通信面編集画像は、通信面差出人合成処理（Ｓ４５）で生成した差出人画像１８０が合成された通信面テンプレート画像１３８である。
【００６３】
一方、図示は省略するが、ＭＦＰ１０の装置プログラム３５は、通信Ｉ／Ｆ２５を通じて情報処理端末５０から印刷指示情報を受信する。そして、装置プログラム３５は、受信した印刷指示情報に従った印刷動作をプリンタ１１に実行させる。すなわち、プリンタ１１は、印刷指示情報に含まれる通信面編集画像データにより示される通信面編集画像をはがきに印刷する。なお、Ｓ５０でＭＦＰ１０に実行させる動作は印刷動作に限定されず、例えば、通信面編集画像データをＦＡＸ送信するＦＡＸ送信動作でもよいし、不図示の装着部に装着された記憶媒体に編集画像データを記憶させる記憶動作であってもよい。
【００６４】
［宛名面編集処理］
図５を参照して、宛名面編集処理の詳細を説明する。
【００６５】
ＣＰＵ６１は、宛名面テンプレートレコードをテンプレートリストから読み出し、図１３（Ｂ）に示される宛名面編集画面を表示部５３に表示させる（Ｓ５５）。
【００６６】
宛名面編集画面は、テンプレート画像１４６と、差出人編集領域画像１４８と、宛先編集領域画像１５０と、通信面編集ボタン１５２とを含む。そして、ＣＰＵ６１は、宛名面編集画面に対するユーザ操作を、操作部５４を介して受け付けるまで処理を待つ（Ｓ６０）。
【００６７】
テンプレート画像１４６は、読み出した宛名面テンプレートレコードに含まれる宛名面テンプレート画像データで示されるテンプレート画像である。差出人編集領域画像１４８は、読み出した宛名面テンプレートレコードに含まれる宛名面差出人領域情報で特定される宛名面差出人領域を示す画像であり、且つ、後述する宛名面差出人合成処理（Ｓ７０）の実行を指示するためのボタンでもある。宛名面差出人領域は、後述する宛名面差出人合成処理（Ｓ７０）で生成した差出人画像１８０が合成される領域であり、差出人編集領域画像１４８は、例えば、宛名面差出人領域を表す枠を破線で示す画像である。
【００６８】
次に、ＣＰＵ６１は、宛先編集領域画像１５０を選択するユーザ操作を、操作部５４を介して受け付けたことに応じて（Ｓ６０：宛先編集領域画像の選択）、表示部５３に表示させた宛先入力画面（不図示）で宛先情報の入力を、操作部１４を介して受け付け、受け付けた宛先情報を示す宛先画像１８２を宛名面テンプレート画像１４６上の宛先編集領域画像１５０の位置に合成し（Ｓ６５）、宛先編集領域画像１５０の位置に宛先画像１８２が合成された宛名面編集画面（図１６（Ａ）または図１６（Ｂ））を表示部５３に表示させる（Ｓ５５）。図１６（Ａ）または図１６（Ｂ）に示した宛名編集画面は、宛先画像１８２を含んでいる宛先画像１８２は、不図示の宛先編集画面でユーザが操作部５４を介して入力した宛先情報を示す画像である。本実施形態の宛先情報は、一例として、郵便番号“１２３−４５６７”と、住所“名古屋市Ｂ区”と、姓名“特許  次郎”と、を含んでいる。
【００６９】
ＣＰＵ６１は、差出人編集領域画像１４８を選択するユーザ操作を、操作部５４を介して受け付けたことに応じて（Ｓ６０：差出人編集領域画像の選択）、宛名面差出人合成処理を実行する（Ｓ７０）。宛名面差出人合成処理は、宛名面テンプレート画像１４６上の差出人編集領域画像１４８の位置に、ユーザが入力した差出人画像１８０を合成する処理である。
【００７０】
ＣＰＵ６１は、通信面編集ボタン１５２を選択するユーザ操作を、操作部５４を介して受け付けたことに応じて（Ｓ６０：通信面編集ボタンの選択）、宛名面編集画像をメモリ６２に記憶し（Ｓ７２）、宛名面編集処理を終了し、通信面編集処理に戻る。
【００７１】
宛名面編集画像は、宛名面差出人合成処理（Ｓ７０）で生成した差出人画像１８０が合成された宛名面テンプレート画像１４６である。
【００７２】
印刷ボタン１５３は、宛名面編集画像に対する印刷動作をＭＦＰ１０に実行させる指示に対応する。
【００７３】
ＣＰＵ６１は、印刷ボタン１５２を選択するユーザ操作を、操作部５４を介して受け付けたことに応じて（Ｓ６０：印刷ボタンの選択）、通信Ｉ／Ｆ５５を通じてＭＦＰ１０に印刷指示情報を送信する（Ｓ７５）。印刷指示情報は、宛名面編集画像をはがきの宛名面に印刷する印刷動作をＭＦＰ１０に実行させるための情報であり、宛名面編集画像を示す宛名面編集画像データを含む。
【００７４】
一方、図示は省略するが、プリンタ１１は、印刷指示情報に含まれる宛名面編集画像データで示される宛名面編集画像をはがきに印刷する。
【００７５】
［宛名面差出人合成処理］
図６を参照して、宛名面差出人合成処理の詳細を説明する。
【００７６】
ＣＰＵ６１は、Ｓ２５で選択されたテンプレートアイコン１３６に対応付けられた通信面テンプレートレコードに含まれるカテゴリ情報により示されるカテゴリについて判断する（Ｓ８０）。
【００７７】
（カテゴリ“年賀状”）
ＣＰＵ６１は、カテゴリ情報により示されるカテゴリが、カテゴリ“年賀状”であると判断した場合（Ｓ８０：年賀状）、図３に示したカテゴリ“年賀状” を示すカテゴリ情報に対応付けられて記憶されている表示モードのうち、差出人情報が合成されるテンプレート画像の記録面が宛名面である場合の表示モードである表示モードＭ１を、差出人情報入力画面の表示モードとして設定する（Ｓ８２）。つまり、宛名面差出人合成処理が初めて実行される場合、カテゴリ情報がカテゴリ“年賀状”を示していれば、差出人情報入力画面のデフォルトの表示モードとして表示モードＭ１が設定される。
【００７８】
ＣＰＵ６１は、Ｓ８２で設定された表示モードである表示モードＭ１で差出人情報入力画面（図１４（Ａ））を表示部５３に表示させる（Ｓ８５）。表示モードＭ１の差出人情報入力画面は、郵便番号の入力を受け付けるテキストボックス１５４と、住所の入力を受け付けるテキストボックス１５６と、ユーザの属性の選択を受け付けるプルダウンボタン１５８と、姓名の入力を受け付ける姓名テキストボックス１６０と、完了ボタン１６２とを含む。
【００７９】
ＣＰＵ６１は、テキストボックス１５４、テキストボックス１５６、プルダウンボタン１５８、姓名テキストボックス１６０または完了ボタン１６２のいずれかを選択するユーザ操作を、操作部５４を介して受け付けるまで処理を待つ（Ｓ９０：Ｎｏ、Ｓ９５：Ｎｏ、Ｓ１０５：Ｎｏ、Ｓ１１５：Ｎｏ）。
【００８０】
ＣＰＵ６１は、プルダウンボタン１５８を選択するユーザ操作を、操作部５４を介して受け付けると（Ｓ９０：Ｙｅｓ）、メモリ６２に記憶されているユーザから入力を受け付けた差出人情報を削除し、差出人情報入力画面の表示モードを表示モードＭ２に設定して（Ｓ１２２）、表示モードＭ２で差出人情報入力画面（図１４（Ｂ））を表示部５３に表示させる。
【００８１】
ＣＰＵ６１は、姓名テキストボックス１６０を選択するユーザ操作を、操作部５４を介して受け付けると（Ｓ９５：Ｙｅｓ）、操作部５４を介して姓名の入力を受け付け、メモリ６２に差出人情報として記憶する。
【００８２】
ＣＰＵ６１は、テキストボックス１５４またはテキストボックス１５６を選択するユーザ操作を、操作部５４を介して受け付けると（Ｓ１０５：Ｙｅｓ）、操作部５４を介して郵便番号または住所の入力を受け付け、メモリ６２に差出人情報として記憶する（Ｓ１１０）。
【００８３】
ＣＰＵ６１は、完了ボタン１６２を選択するユーザ操作を、操作部５４を介して受け付けると（Ｓ１１５：Ｙｅｓ）、メモリ６２に記憶された姓名を含む差出人情報を示す差出人画像１８０Ａ（図１６（Ａ））を生成し、生成した差出人画像１８０Ａを宛名面テンプレート画像１４６上の差出人編集領域画像１４８の位置に合成する（Ｓ１２０）。そして、図５に戻って、ＣＰＵ６１は、図１６（Ａ）に示される宛名面編集画面を表示部５３に表示させる（Ｓ５５）。
【００８４】
（カテゴリ“ビジネスＤＭ”）
ＣＰＵ６１は、カテゴリ情報により示されるカテゴリが、カテゴリ“ビジネスＤＭ”であると判断した場合（Ｓ８０：ビジネスＤＭ）、図３に示したカテゴリ“ビジネスＤＭ”を示すカテゴリ情報に対応付けられて記憶されている表示モードのうち、差出人情報が合成されるテンプレート画像の記録面が宛名面である場合の表示モードである表示モードＭ２を、差出人情報入力画面の表示モードとして設定する（Ｓ１２２）。つまり、宛名面差出人合成処理が初めて実行される場合、カテゴリ情報がカテゴリ“ビジネスＤＭ”を示していれば、差出人情報入力画面のデフォルトの表示モードとして表示モードＭ２が設定される。
【００８５】
ＣＰＵ６１は、Ｓ１２２で設定された表示モードである表示モードＭ２で差出人情報入力画面（図１４（Ｂ））を表示部５３に表示させる（Ｓ１２５）。表示モードＭ２の差出人情報入力画面は、テキストボックス１５４と、テキストボックス１５６と、プルダウンボタン１５８と、企業名の入力を受け付ける企業名テキストボックス１６４と、完了ボタン１６６とを含む。
【００８６】
ＣＰＵ６１は、テキストボックス１５４、テキストボックス１５６、プルダウンボタン１５８、企業名テキストボックス１６４または完了ボタン１６６のいずれかを選択するユーザ操作を、操作部５４を介して受け付けるまで処理を待つ（Ｓ１３０：Ｎｏ、Ｓ１３５：Ｎｏ、Ｓ１４５：Ｎｏ、Ｓ１５５：Ｎｏ）。Ｓ１４５およびＳ１５０で端末プログラム６５が実行する処理は、それぞれ、Ｓ１０５およびＳ１１０で実行する処理と同様であるので説明を省略する。
【００８７】
ＣＰＵ６１は、プルダウンボタン１５８を選択するユーザ操作を、操作部５４を介して受け付けると（Ｓ１３０：Ｙｅｓ）、メモリ６２に記憶されているユーザから入力を受け付けた差出人情報を削除し、差出人情報入力画面の表示モードを表示モードＭ１に設定して（Ｓ８２）、差出人情報入力画面（図１４（Ａ））を表示モードＭ１で表示部５３に表示させる。つまり、ユーザはプルダウンボタン１５８を選択するユーザ操作を行うことで、差出人情報入力画面の表示モードを、表示モードＭ１または表示モードＭ２のいずれかの表示モードに自由に切り替えることができる。
【００８８】
ＣＰＵ６１は、企業名テキストボックス１６４を選択するユーザ操作を、操作部５４を介して受け付けると（Ｓ１３５：Ｙｅｓ）、操作部５４を介して企業名の入力を受け付け、メモリ６２に差出人情報として記憶する。
【００８９】
ＣＰＵ６１は、完了ボタン１６６を選択するユーザ操作を、操作部５４を介して受け付けると（Ｓ１５５：Ｙｅｓ）、メモリ６２に記憶された企業名を含む差出人情報を示す差出人画像１８０Ｂ（図１６（Ｂ））を生成し、生成した差出人画像１８０を宛名面テンプレート画像１４６上の差出人編集領域画像１４８の位置に合成する（Ｓ１２０）。そして、図５に戻って、ＣＰＵ６１は、図１６（Ｂ）に示される宛名面編集画面を表示部５３に表示させる（Ｓ５５）。
【００９０】
［通信面差出人合成処理］
図７を参照して、通信面差出人合成処理の詳細を説明する。
【００９１】
ＣＰＵ６１は、Ｓ２５で選択されたテンプレートアイコン１３６に対応付けられた通信面テンプレートレコードに含まれるカテゴリ情報により示されるカテゴリについて判断する（Ｓ１６５）。この処理はＳ８０と同様である。
【００９２】
（カテゴリ“年賀状”）
ＣＰＵ６１は、カテゴリ情報により示されるカテゴリが、カテゴリ“年賀状”であると判断した場合（Ｓ１６５：年賀状）、図３に示したカテゴリ“年賀状” を示すカテゴリ情報に対応付けられて記憶されている表示モードのうち、差出人情報が合成されるテンプレート画像の記録面が通信面である場合の表示モードである表示モードＭ３を、差出人情報入力画面の表示モードとして設定する（Ｓ１６７）。つまり、通信面差出人合成処理が初めて実行される場合、カテゴリ情報がカテゴリ“年賀状”を示していれば、差出人情報入力画面のデフォルトの表示モードとして表示モードＭ３が設定される。
【００９３】
ＣＰＵ６１は、Ｓ１６７で設定された表示モードである表示モードＭ３で差出人情報入力画面（図１５（Ａ））を表示部５３に表示させる（Ｓ１７０）。表示モードＭ３の差出人情報入力画面は、テキストボックス１５４と、テキストボックス１５６と、ユーザの属性の選択を受け付けるプルダウンボタン１６８と、姓名テキストボックス１６０と、サイン情報の入力を受け付けるサインボタン１７０と、完了ボタン１７１とを含む。ＣＰＵ６１は、テキストボックス１５４、テキストボックス１５６、プルダウンボタン１６８、姓名テキストボックス１６０、サインボタン１７０、または完了ボタン１７１のいずれかを選択するユーザ操作を、操作部５４を介して受け付けるまで処理を待つ（Ｓ１７５：Ｎｏ、Ｓ１８０：Ｎｏ、Ｓ１９０：Ｎｏ、Ｓ２００：Ｎｏ、Ｓ２１０：Ｎｏ）。Ｓ１８０、Ｓ１８５、Ｓ２００、およびＳ２０５で端末プログラム６５が実行する処理は、それぞれ、Ｓ９５、Ｓ１００、Ｓ１０５、およびＳ１１０で実行する処理と同様であるので説明を省略する。
【００９４】
ＣＰＵ６１は、プルダウンボタン１６８を選択するユーザ操作を、操作部５４を介して受け付けると（Ｓ１７５：Ｙｅｓ）、メモリ６２に記憶されているユーザから入力を受け付けた差出人情報を削除し、差出人情報入力画面の表示モードを表示モードＭ４に設定して（Ｓ２１８）、表示モードＭ４で差出人情報入力画面（図１５（Ｂ））を表示部５３に表示させる。
【００９５】
ＣＰＵ６１は、サインボタン１７０を選択するユーザ操作を、操作部５４を介して受け付けると（Ｓ１９０：Ｙｅｓ）、サイン情報の入力を受け付けるサイン情報受付処理（Ｓ１９５）を実行する。
【００９６】
ＣＰＵ６１は、完了ボタン１７１を選択するユーザ操作を、操作部５４を介して受け付けると（Ｓ２１０：Ｙｅｓ）、メモリ６２に記憶された差出人情報を示す差出人画像１８０Ｃおよび１８０Ｄ（図１７（Ａ））を生成し、生成した差出人画像１８０Ｃおよび１８０Ｄを宛名面テンプレート画像１４６上の差出人編集領域画像１４０の位置に合成する（Ｓ２１５）。差出人画像１８０Ｄは、Ｓ１９５のサイン情報受付処理で操作部５４を介して受け付けたサイン情報を示す画像であり、差出人編集領域画像１４０の位置する領域内であって、差出人画像１８０Ｃと異なる位置に合成される。そして、図４に戻って、ＣＰＵ６１は、図１７（Ａ）または図１７（Ｂ）に示される通信面編集画面を表示部５３に表示させる（Ｓ５５）。図１７（Ａ）に示される通信面編集画面では、ユーザは姓名を含む差出人情報を示す差出人画像１８０Ｃおよびサイン情報を含む差出人情報を示す差出人画像１８０Ｄの各々を通信面テンプレート画像１３８内の所望の位置に独立して移動させることができる。また、図１７（Ｂ）に示される通信面編集画面は、企業名を含む差出人情報を示す差出人画像１８０Ｅを含んでいる。
【００９７】
（カテゴリ“ビジネスＤＭ”）
ＣＰＵ６１は、カテゴリ情報により示されるカテゴリが、カテゴリ“ビジネスＤＭ”であると判断した場合（Ｓ１６５：ビジネスＤＭ）、図３に示したカテゴリ“ビジネスＤＭ” を示すカテゴリ情報に対応付けられて記憶されている表示モードのうち、差出人情報が合成されるテンプレート画像の記録面が通信面である場合の表示モードである表示モードＭ４を、差出人情報入力画面の表示モードとして設定する（Ｓ２１８）。つまり、通信面差出人合成処理が初めて実行される場合、カテゴリ情報がカテゴリ“ビジネスＤＭ”を示していれば、差出人情報入力画面のデフォルトの表示モードとして表示モードＭ４が設定される。
【００９８】
ＣＰＵ６１は、Ｓ２１８で設定された表示モードである表示モードＭ４で差出人情報入力画面（図１５（Ｂ））を表示部５３に表示させる（Ｓ２２０）。表示モードＭ４の差出人情報入力画面は、テキストボックス１５４と、テキストボックス１５６と、プルダウンボタン１６８と、企業名テキストボックス１６４と、地図情報の入力を受け付ける地図ボタン１７２と、ロゴ情報の入力を受け付けるロゴボタン１７４と、カレンダ情報の入力を受け付けるカレンダボタン１７６と、完了ボタン１７１とを含む。ＣＰＵ６１は、テキストボックス１５４、テキストボックス１５６、プルダウンボタン１６８、企業名テキストボックス１６４、地図ボタン１７２、ロゴボタン１７４、カレンダボタン１７６、または完了ボタン１７１のいずれかを選択するユーザ操作を、操作部５４を介して受け付けるまで処理を待つ（Ｓ２２５：Ｎｏ、Ｓ２３０：Ｎｏ、Ｓ２４０：Ｎｏ、Ｓ２５０：Ｎｏ、Ｓ２６０：Ｎｏ、Ｓ２７０：Ｎｏ、Ｓ２８０：Ｎｏ）。Ｓ２３０、Ｓ２３５、Ｓ２０７、およびＳ２７５で端末プログラム６５が実行する処理は、それぞれ、Ｓ１３５、Ｓ１４０、Ｓ１０５、およびＳ１１０で実行する処理と同様であるので説明を省略する。
【００９９】
ＣＰＵ６１は、プルダウンボタン１６８を選択するユーザ操作を、操作部５４を介して受け付けると（Ｓ２２５：Ｙｅｓ）、メモリ６２に記憶されているユーザから入力を受け付けた差出人情報を削除し、差出人情報入力画面の表示モードを表示モードＭ３に設定して（Ｓ１６７）、差出人情報入力画面（図１５（Ａ））を表示モードＭ３で表示部５３に表示させる。つまり、ユーザはプルダウンボタン１５８を選択するユーザ操作を行うことで、差出人情報入力画面の表示モードを、表示モードＭ３または表示モードＭ４のいずれかの表示モードに自由に切り替えることができる。
【０１００】
ＣＰＵ６１は、地図ボタン１７２を選択するユーザ操作を、操作部５４を介して受け付けると（Ｓ２４０：Ｙｅｓ）、地図情報の入力を受け付ける地図情報受付処理（Ｓ２４５）を実行する。
【０１０１】
ＣＰＵ６１は、ロゴボタン１７４を選択するユーザ操作を、操作部５４を介して受け付けると（Ｓ２４０：Ｙｅｓ）、ロゴ情報の入力を受け付けるロゴ情報受付処理（Ｓ２５５）を実行する。
【０１０２】
ＣＰＵ６１は、カレンダボタン１７６を選択するユーザ操作を、操作部５４を介して受け付けると（Ｓ２４０：Ｙｅｓ）、カレンダ情報の入力を受け付けるカレンダ情報受付処理（Ｓ２６５）を実行する。
【０１０３】
ＣＰＵ６１は、完了ボタン１７１を選択するユーザ操作を、操作部５４を介して受け付けると（Ｓ２８０：Ｙｅｓ）、メモリ６２に記憶された企業名を含む差出人情報を示す差出人画像１８０Ｅと、地図情報を示す差出人画像１８０Ｆと（図１８（Ａ））、ロゴ情報を示す差出人画像１８０Ｇと（図１８（Ｂ））、カレンダ情報を示す差出人画像１８０Ｈと（図１８（Ｃ））を生成し、生成した差出人画像１８０Ｅ、１８０Ｆ、１８０Ｇ、および１８０Ｈを通信面テンプレート画像１３８上の差出人編集領域画像１４０の位置に重ならないように合成する（Ｓ２８５）。なお、地図情報、ロゴ情報およびカレンダ情報は、合成される差出人情報にいずれか１つが含まれていてもよいしいずれも含まれていなくてもよいし、全てが含まれていてもよい。差出人画像１８０Ｆは、Ｓ２４５の地図情報受付処理で操作部５４を介して受け付けた地図情報を示す画像である。差出人画像１８０Ｇは、Ｓ２５５のロゴ情報受付処理で操作部５４を介して受け付けたロゴ情報を示す画像である。差出人画像１８０Ｈは、Ｓ２６５のカレンダ情報受付処理で操作部５４を介して受け付けたカレンダ情報を示す画像である。差出人編集領域画像が位置する領域内に収まるように差出人画像１８０Ｅ、１８０Ｆ、１８０Ｇ、および１８０Ｈの画像の大きさが決定されて、通信面テンプレート画像１３８に合成される。そして、図４に戻って、ＣＰＵ６１は、図１８（Ａ）、（Ｂ）または（Ｃ）に示される通信面編集画面を表示部５３に表示させる（Ｓ３０）。このとき、ユーザは、通信面編集画面において、差出人画像１８０Ｅ、１８０Ｆ、１８０Ｇ、および１８０Ｈの画像の各々を独立して通信面テンプレート画像１３８内の所望の位置に移動させることができる。
【０１０４】
［サイン情報受付処理］
図８を参照して、サイン情報受付処理の詳細を説明する。
【０１０５】
ＣＰＵ６１は、不図示のサイン情報入力画面を表示部５３に表示させる（Ｓ２９０）。ＣＰＵ６１は、サイン情報入力画面に含まれるサイン情報入力領域において、操作部５４を介して指示体を用いた手書きの文字情報を受け付け、差出人情報としてメモリ６２に記憶する。
【０１０６】
［地図情報受付処理］
図９を参照して、地図情報受付処理の詳細を説明する。
【０１０７】
ＣＰＵ６１は、図１９（Ａ）に示す地図情報入力画面を表示部５３に表示させる（Ｓ３００）。地図情報入力画面は、検索テキストボックス１９０と、地図画像１９２と、特定アイコン１９４と、完了ボタン１９６と、を含む。なお、地図画像１９２は地図情報受付処理の最初の実行時には表示部５３に表示されない。後述するＳ３０４の実行後に、Ｓ３０６で取得した地図データを情報処理端末５０にインストールされた、Ｇｏｏｇｌｅ  Ｍａｐｓ  ＡＰＩのライブラリに渡し、表示部５３の画面サイズに応じたサイズのビットマップ形式の地図画像１９２を当該ライブラリに描画させることで、地図画像１９２を表示部５３に表示させる。そして、ＣＰＵ６１は、地図情報入力画面に対するユーザ操作を、操作部５４を介して受け付けるまで処理を待つ（Ｓ３０２）。
【０１０８】
ＣＰＵ６１は、検索テキストボックス１９０を選択するユーザ操作を、操作部５４を介して受け付けたことに応じて（Ｓ３０２：検索テキストボックスの選択）、操作部５４を介して検索条件とする文字情報を受け付ける（Ｓ３０６）。ＣＰＵ６１は、Ｓ３０６で受け付けた検索条件に基づいて、サーバ７０から地図データを取得する（Ｓ３０８）。具体的には、ＣＰＵ６１は、Ｓ３０６で受け付けた文字情報と、ＡＰ６０のＭＡＣアドレスなどのネットワーク情報と、地図種別とを、通信Ｉ／Ｆ５５を介してサーバ７０に出力し、サーバ７０から、指定された地図種別の地図であって、Ｓ３０６で受け付けた文字情報が示す場所を中心とする地図データを取得する。そして、ＣＰＵ６１は、Ｓ３０８で取得した地図データにより示される地図画像を表示部５３に表示させる（Ｓ３００）。
【０１０９】
また、ＣＰＵ６１は、特定アイコン１９４をドラッグするユーザ操作を、操作部５４を介して受け付けたことに応じて（Ｓ３０２：特定アイコンのドラッグ）、表示部５３に表示させている特定アイコンの表示位置を、特定アイコン１９４のドラッグが終了した位置に更新する（Ｓ３０８）。
【０１１０】
また、ＣＰＵ６１は、完了ボタン３１０を選択するユーザ操作を、操作部５４を介して受け付けたことに応じて（Ｓ３０２：完了ボタンの選択）、表示部５３に表示させている特定アイコンの表示位置および地図画像に対応する地図データを地図情報としてメモリ６２に記憶し（Ｓ３１０）、地図情報受付処理を終了する。
【０１１１】
［ロゴ情報受付処理］
図１０を参照して、ロゴ情報受付処理の詳細を説明する。
【０１１２】
ＣＰＵ６１は不図示のロゴ情報入力画面を表示部５３に表示させる（Ｓ３２０）。ロゴ情報入力画面は複数のアイコンを含む。複数のアイコンは、メモリ６２に記憶された画像データの１つに対応する。そして、ＣＰＵ６１は、ロゴ情報入力画面に対するユーザ操作を、操作部５４を介して受け付けるまで処理を待つ（Ｓ３２５：Ｎｏ）。
【０１１３】
次に、ＣＰＵ６１は、複数のアイコンのうちの選択アイコンを選択するユーザ操作を、操作部５４を介して受け付けたことに応じて（Ｓ３２５：Ｙｅｓ）、当該選択アイコンに対応付けられた画像を受け付け、メモリ６２に差出人情報に含まれるロゴ情報として当該画像を記憶し、ロゴ情報受付処理を終了する。
【０１１４】
［カレンダ情報受付処理］
図１１を参照して、サイン情報受付処理の詳細を説明する。
【０１１５】
ＣＰＵ６１はカレンダ情報入力画面（図１９（Ｂ））を表示部５３に表示させる（Ｓ３３５）。カレンダ情報入力画面は、変更ボタン１９８と、カレンダ画像２００と、完了ボタン２０２と、を含む。そして、ＣＰＵ６１は、カレンダ情報入力画面に対するユーザ操作を、操作部５４を介して受け付ける（Ｓ３４０）。
【０１１６】
ＣＰＵ６１は、変更ボタン１９８を選択するユーザ操作を、操作部５４を介して受け付けると（Ｓ３４０：変更ボタンの選択）、現在表示されているカレンダ画像２００の１つ次の月あるいは１つ前の月のカレンダ画像に表示を読み出し、表示部５３に表示させることで、カレンダ画像２００の表示を更新する。
【０１１７】
ＣＰＵ６１は、カレンダ画像２００上の日付を選択するユーザ操作を、操作部５４を介して受け付けると（Ｓ３４０：日付の選択）、選択された日付の表示態様を営業日であることを示す表示態様で表示部５３に表示させることで、表示を更新する（Ｓ３５０）。図１９（Ｂ）では、営業日である月曜日から金曜日の日付は背景を白色に、土曜日と日曜日の日付は背景をグレーにして異なる表示態様で表示させている。なお、ＣＰＵ６１は、当該処理で定休日を受け付けてもよい。
【０１１８】
ＣＰＵ６１は、完了ボタン２０２を選択するユーザ操作を、操作部５４を介して受け付けると（Ｓ３４０：完了ボタンの選択）、表示部５３に表示させているカレンダ画像をカレンダ情報としてメモリ６２に記憶し（Ｓ３５５）、カレンダ情報受付処理を終了する。
【０１１９】
［本実施形態の作用効果］
上記の実施形態によれば、通信面テンプレート画像データから推測される属性を有する多数派のユーザに適した差出人情報の入力を受け付け可能である複数の表示モードが、当該通信面テンプレート画像データと対応付けて記憶されている。そして、ユーザがＳ２５で選択した通信面テンプレート画像データに対応付けて記憶された表示モードがデフォルトの表示モード（通信面差出人合成処理（Ｓ４５）または宛名面差出人合成処理（Ｓ７０）が初めて実行されるときの表示モード）として設定され（Ｓ８２、Ｓ１２２、Ｓ１６７またはＳ２１８）、当該デフォルトの表示モードで差出人情報入力画面が表示される（Ｓ８５，Ｓ１２５、Ｓ１７０またはＳ２２０）。よって、Ｓ２５で選択された通信面テンプレート画像データから推測される属性を有する多数派のユーザは、自身の属性を選択する操作を要求されることなく、自身の望む差出人情報を入力することができる。
【０１２０】
上記の実施形態によれば、Ｓ２５で選択された通信面テンプレート画像データに応じた表示モードがデフォルトの表示モードとして設定された後（Ｓ８２、Ｓ１２２、Ｓ１６７またはＳ２１８）、当該デフォルトの表示モードから、自身の所望する差出人情報の入力を受け付け可能である表示モードに、表示モードを切り替えることができる（Ｓ９０、Ｓ１３０、Ｓ１７５またはＳ２２５）。従って、選択されたテンプレート画像データから推測される属性を有さない少数派のユーザであっても、自身の望む差出人情報を入力することができる。
【０１２１】
上記の実施形態によれば、デフォルトの表示モードが設定され（Ｓ８２、Ｓ１２２、Ｓ１６７またはＳ２１８）、デフォルトの表示モードで差出人情報入力画面が表示された後に（Ｓ８５，Ｓ１２５、Ｓ１７０またはＳ２２０）、当該デフォルトの表示モードから自身の所望する差出人情報の入力を受け付け可能である表示モードにユーザが表示モードを切り替えることができる（Ｓ９０、Ｓ１３０、Ｓ１７５またはＳ２２５）。つまり、ユーザは、デフォルトの表示モードの差出人情報入力画面を確認した後に、自身の属性に適した差出人情報を入力することができる表示モードに切り替えることができる。よって、自身の属性に適した差出人情報を入力可能である表示モードに切り替えることが、ユーザにとってより容易になる。
【０１２２】
上記の実施形態によれば、Ｓ２５で選択された通信面テンプレート画像データを示す通信面テンプレート画像１３８に差出人情報を合成する場合（差出人情報を通信面に記録する場合）と（Ｓ４５）、宛名面テンプレート画像１４６に差出人情報を合成する場合（差出人情報を宛名面に記録する場合）と（Ｓ７０）で、異なる表示モードがデフォルトの表示モードとして設定される（Ｓ８２、Ｓ１２２、Ｓ１６７またはＳ２１８）。例えば、宛名面に姓名を含む差出人情報を記録するとユーザが選択した場合（Ｓ６０：差出人編集領域画像の選択）、姓名を含む差出人情報を入力可能である表示モードＭ１がデフォルトの表示モードとして設定される（Ｓ８２）。一方で、通信面にサイン情報を含む差出人情報を記録するとユーザが選択した場合（Ｓ３５：差出人編集領域画像）、姓名に加えてサイン情報を含む差出人情報を入力可能である表示モードＭ３がデフォルトの表示モードとして設定される（Ｓ１６７）。よって、ユーザは、差出人情報の記録面に合わせた付加価値の高い差出人情報を入力することができる。
【０１２３】
上記の実施形態によれば、通信面テンプレート画像データはカテゴリ情報に対応付けられて記憶されており、該カテゴリ情報が複数の表示モードのいずれかに対応付けられて記憶されている。換言すれば、カテゴリごとに複数の表示モードのうちのいずれの表示モードをデフォルトの表示モードとして設定するかを管理している。よって、通信面テンプレート画像データごとに複数の表示モードのいずれかを対応付ける場合に比べて、通信面テンプレ―ト画像データと表示モードとの対応を簡単に管理することができる。
【０１２４】
上記の実施形態によれば、差出人情報入力画面で受け付けた差出人情報は、差出人編集領域画像が示す位置内の予め決まった位置に合成される。具体的には、図１７（Ａ）に示した差出人画像１８０Ｃ内における姓名を示す情報の配置と図１７（Ｂ）に示した差出人画像１８０Ｅ内における企業名を示す情報の配置は異なっている。つまり、ユーザはプルダウンボタン１６８を選択し、差出人情報入力画面で差出人情報を入力することで、ユーザは自身の属性に適した差出人情報が適切な位置に示された差出人画像１８０をＳ２５で選択された通信面テンプレート画像データに合成することができる。
【０１２５】
［変形例］
以上、図４〜図１１を参照して、本実施形態に係る印刷システム１００の動作を説明した。本実施形態では、通信面テンプレート画像データに対応付けて記憶されたカテゴリ情報に、各表示モードが対応付けて記憶されているが、カテゴリ情報は必須の構成ではない。少なくとも、複数のテンプレート画像データの各々に表示モードが対応付けられる態様であればよい。
【０１２６】
また、本実施形態では、差出人情報が合成されるテンプレート画像データの記録面（通信面または宛名面）に応じて、表示モードＭ１もしくは表示モードＭ２または表示モードＭ３もしくは表示モードＭ４で差出人情報入力画面が表示されたが、差出人情報が合成されるテンプレート画像の記録面によらず、表示モードＭ１もしくは表示モードＭ２ならびに表示モードＭ３もしくは表示モードＭ４のいずれか一方の表示モードで差出人情報入力画面が表示される態様であってもよい。
【０１２７】
また、本実施形態では、表示モードＭ２で表示された差出人情報入力画面では、姓名、サイン情報が受け付け可能とされていたが、サイン情報のみが、表示モードＭ４で表示された差出人情報入力画面で受け付け可能とされていればよい。
【０１２８】
また、本実施形態では、表示モードＭ４で表示された差出人情報入力画面では、地図情報、ロゴ情報およびカレンダ情報が受け付け可能とされていたが、地図情報、ロゴ情報、カレンダ情報のうちの少なくとも１つが、表示モードＭ４で表示された差出人情報入力画面で受け付け可能とされていればよい。
【０１２９】
上記実施形態では、差出人情報入力画面が複数の表示モードを備えていた。しかしながら、例えば、通信面編集画面が複数の表示モードを有していてもよい。
【０１３０】
具体的には、図２０（Ａ）は、カテゴリ“年賀状”を示すカテゴリ情報が対応付けられて記憶された通信面テンプレート画像データが選択された場合の、変形例に係る表示モードＭ３の通信面編集画面を示した図である。当該通信面編集画面は、郵便番号および住所を入力するためのテキストボックス３００および３０２と、姓名を入力するための姓名テキストボックス３０４と、サイン情報の入力を受け付ける画面を表示するサインボタン３０６と、ユーザの属性を切り替えるためのプルダウンボタン３０８とを含んでいる。
【０１３１】
図２０（Ｂ）は、カテゴリ“ビジネスＤＭ”を示すカテゴリ情報が対応付けられて記憶された通信面テンプレート画像データが選択された場合の、変形例に係る表示モードＭ４の通信面編集画面を示した図である。当該通信面編集画面は、テキストボックス３０２と、テキストボックス３０４と、企業名を入力するための企業名テキストボックス３０６と、プルダウンボタン３０８と、地図情報の入力を受け付ける画面を表示する地図ボタン３１２、ロゴ情報の入力を受け付ける画面を表示するロゴボタン３１４、カレンダ情報の入力を受け付ける画面を表示するカレンダボタン３１６とを含む。
【０１３２】
表示モードＭ３の通信面編集画面（図２０（Ａ））でプルダウンボタン３０８が選択されると、姓名テキストボックス３０４に代わって企業名テキストボックス３０８が表示部５３に表示され、姓名テキストボックス３０４に代わって企業名テキストボックス３０８が表示部５３に表示され、サインボタン３０６に代わって地図ボタン３１２、ロゴボタン３１４、およびカレンダボタン３１６が表示部５３に表示されてもよい。
【０１３３】
また、上記実施形態では、通信面編集画面で差出人編集領域画像１４０が選択されると（Ｓ３５：差出人編集領域画像）、選択された通信面テンプレート画像データに応じた表示モードがデフォルトの表示モードとして設定され（Ｓ１６７またはＳ２２０）、デフォルトの表示モードで差出人情報入力画面が表示部５３に表示された（Ｓ８５またはＳ１２５）。しかしながら、例えば、差出人情報入力画面を表示する前に、図２１に示す属性選択画面が表示されてもよい。このとき、ユーザが選択した通信面テンプレート画像データに対応付けて記憶されている表示モードに対応する属性が選択状態になっていてもよい。
【０１３４】
また、カテゴリ情報は、上記実施形態で説明したカテゴリ“年賀状”とカテゴリ“ビジネスＤＭ”の２つ以外に、例えば、カテゴリ“結婚報告”を示すカテゴリ情報を含んでもよい。この場合、夫の姓名と妻の姓名とを含む差出人情報の入力を受け付け可能である表示モードが当該カテゴリ情報に対応付けられている態様であってもよい。
【０１３５】
また、カテゴリ情報は、上記実施形態で説明したカテゴリ“年賀状”とカテゴリ“ビジネスＤＭ”の２つ以外に、例えば、カテゴリ“英字レター”を示すカテゴリ情報を含んでもよい。この場合、サイン情報を含む差出人情報の入力を受け付け可能である表示モードＭ２が当該カテゴリ情報に対応付けられている態様であってもよい。
【０１３６】
［請求項との対応］
Ｓ２５の処理はテンプレート画像選択操作受付処理の一例である。Ｓ８２、Ｓ１２２、Ｓ１６７およびＳ２１８の処理は設定処理の一例である。Ｓ８５，Ｓ１２５、Ｓ１７０およびＳ２２０の処理は表示処理の一例である。Ｓ９０，Ｓ１３０、Ｓ１７５およびＳ２２５の処理はモード切替操作受付処理の一例である。Ｓ３５およびＳ６５の処理は記録面選択操作受付処理の一例である。Ｓ１００、Ｓ１４０、Ｓ１９５、Ｓ２５５、Ｓ２６５およびＳ２７５の処理は差出人情報受付処理の一例である。
【０１３７】
Ｓ２５の処理を実行するＣＰＵ６１はテンプレート画像選択操作受付手段の一例である。Ｓ８２、Ｓ１２２、Ｓ１６７およびＳ２１８の処理を実行するＣＰＵ６１は設定手段の一例である。Ｓ８５，Ｓ１２５、Ｓ１７０およびＳ２２０を実行するＣＰＵ６１は表示手段の一例である。
【０１３８】
テンプレートアイコン１３４または１３６を選択するユーザ操作はテンプレート画像選択操作の一例である。プルダウンボタン１５８を選択するユーザ操作はモード切替操作の一例である。
【０１３９】
カテゴリ“年賀状”は第１種カテゴリ情報の一例であり、カテゴリ“ビジネスＤＭ”は第２種カテゴリ情報の一例である。
【０１４０】
姓名およびサイン情報は第１種の差出人情報の一例であり、企業名、サイン情報、地図情報、ロゴ情報およびカレンダ情報は第２種の差出人情報の一例である。
【０１４１】
姓名情報は第１差出人情報の一例である。企業名は第１差出人情報の一例である。サイン情報は第２差出人情報の一例である。地図情報は第２差出人情報の一例である。ロゴ情報は第２差出人情報の一例である。カレンダ情報は第２差出人情報の一例である。
【０１４２】
表示モードＭ１またはＭ３のいずれか一方、他方および表示モードＭ２またはＭ４のいずれか一方はそれぞれ第１表示モード、第３表示モードおよび第２表示モードの一例である。
姓名およびサイン情報のうちの少なくとも１つ、または、企業名、地図情報、ロゴ情報およびカレンダ情報のうちの少なくとも１つ、のいずれか一方は、第１種の差出人情報の一例であり、他方は、第２種の差出人情報の一例である。また、表示モードＭ１、Ｍ２、Ｍ３およびＭ４を含む複数の表示モードのうち、いずれか１つは第１表示モードの一例であり、当該複数の表示モードのうち、第１表示モードと異なる表示モードが、第２表示モードの一例である。
【０１４３】
差出人情報入力画面、サイン入力画面、地図情報入力画面、ロゴ情報入力画面およびカレンダ情報入力画面は入力画面の一例である。はがきは通信物の一例である。はがきの通信面は第１面の一例である。はがきの宛名面は第２面の一例である。
【符号の説明】
【０１４４】
１０・・・ＭＦＰ
１１・・・プリンタ
５０・・・情報処理端末
５３・・・表示部
５４・・・操作部
５５・・・通信Ｉ／Ｆ
６１・・・ＣＰＵ
６２・・・メモリ
６５・・・端末プログラム
【図１】
2019046409.tif 000003
【図２】
2019046409.tif 000004
【図３】
2019046409.tif 000005
【図４】
2019046409.tif 000006
【図５】
2019046409.tif 000007
【図６】
2019046409.tif 000008
【図７】
2019046409.tif 000009
【図８】
2019046409.tif 000010
【図９】
2019046409.tif 000011
【図１０】
2019046409.tif 000012
【図１１】
2019046409.tif 000013
【図１２】
2019046409.tif 000014
【図１３】
2019046409.tif 000015
【図１４】
2019046409.tif 000016
【図１５】
2019046409.tif 000017
【図１６】
2019046409.tif 000018
【図１７】
2019046409.tif 000019
【図１８】
2019046409.tif 000020
【図１９】
2019046409.tif 000021
【図２０】
2019046409.tif 000022
【図２１】
2019046409.tif 000023